(57)【特許請求の範囲】
【請求項１】
無線ネットワークにおいて、
移動端末と通信するように動作する第１基地局と、
前記第１基地局と複数の移動端末との間の双方向通信を提供するための複数のリレー端末と、
を含み、
前記第１基地局は、
前記複数のリレー端末にダウンリンクでリレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を伝送し、
前記Ｒ−ＰＤＣＣＨは、
ｉ）前記複数のリレー端末と関連したダウンリンクグラントを含む第１検索空間と、
ｉｉ）前記複数のリレー端末と関連したアップリンクグラントを含む第２検索空間と、
を含み、
前記第１基地局は、
前記第１検索空間に位置する第１物理リソースブロックの第１領域の第１のリソース要素で第１リレー端末に対して指示される第１ダウンリンクグラントを伝送し、
前記第２検索空間に位置する前記第１物理リソースブロックの第２領域の第２のリソース要素で前記第１リレー端末に対して指示される第１アップリンクグラントを伝送し、
前記第２のリソース要素は、前記第１ダウンリンクグラントに関連した前記第１のリソース要素の位置と関連しており、
前記第１検索空間は、第１時間スロットに位置し、
前記第２領域は、第２時間スロットに位置することを特徴とする無線ネットワーク。
【請求項２】
移動端末と通信するように動作する第１基地局と、前記第１基地局と複数の移動端末との間の双方向通信を提供するための複数のリレー端末とを含む無線ネットワークの使用のための方法において、
ダウンリンクでリレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を前記第１基地局から前記複数のリレー端末に伝送するステップを含み、
前記Ｒ−ＰＤＣＣＨは、
ｉ）前記複数のリレー端末と関連したダウンリンクグラントを含む第１検索空間と、
ｉｉ）前記複数のリレー端末と関連したアップリンクグラントを含む第２検索空間と、
を含み、
前記伝送するステップは、
前記第１検索空間に位置する第１物理リソースブロックの第１領域の第１のリソース要素で第１リレー端末に対して指示される第１ダウンリンクグラントを前記第１基地局から伝送するステップと、
前記第２検索空間に位置する前記第１物理リソースブロックの第２領域の第２のリソース要素で第１リレー端末に対して指示される第１アップリンクグラントを伝送するステップと、を含み、前記第２のリソース要素は、前記第１ダウンリンクグラントに関連した前記第１のリソース要素の位置と関連しており、、
前記第１検索空間は、第１時間スロットに位置し、
前記第２領域は、第２時間スロットに位置することを特徴とする無線ネットワークの使用のための方法。
【請求項３】
移動端末と通信するように動作する複数の基地局と、第１基地局と複数の移動端末との間の双方向通信を提供するためのリレー端末とを含む無線ネットワークの使用のためのリレー端末において、
前記リレー端末は、リレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を前記第１基地局からダウンリンクで受信し、
前記Ｒ−ＰＤＣＣＨは、
ｉ）複数のリレー端末と関連したダウンリンクグラントを含む第１検索空間と、
ｉｉ）前記複数のリレー端末と関連したアップリンクグラントを含む第２検索空間と、
を含み、
前記リレー端末は、前記リレー端末と関連したダウンリンクグラントデコーディングし、前記リレー端末と関連したアップリンクグラントをデコーディングし、
前記リレー端末は、
前記第１検索空間に位置する第１物理リソースブロックの第１領域の第１のリソース要素で前記リレー端末に対して指示される第１ダウンリンクグラントをデコーディングし、
前記第２検索空間に位置する前記第１物理リソースブロックの第２領域の第２のリソース要素で前記リレー端末に対して指示される第１アップリンクグラントをデコーディングするように動作し、
前記第２のリソース要素は、前記第１ダウンリンクグラントに関連した前記第１のリソース要素の位置と関連しており、
前記第１検索空間は、第１時間スロットに位置し、
前記第２領域は、第２時間スロットに位置することを特徴とするリレー端末。
【請求項４】
無線ネットワークの第１基地局と、複数の移動端末との間の双方向通信を提供するためのリレー端末の使用のための方法において、
前記リレー端末で、リレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を前記第１基地局からダウンリンクで受信するステップと、
前記リレー端末で、前記リレー端末と関連したダウンリンクグラントをデコーディングし、前記リレー端末と関連したアップリンクグラントをデコーディングするステップと、
を含み、
前記Ｒ−ＰＤＣＣＨは、
ｉ）複数のリレー端末と関連したダウンリンクグラントを含む第１検索空間と、
ｉｉ）前記複数のリレー端末と関連したアップリンクグラントを含む第２検索空間と、
を含み、
前記デコーディングするステップは、
前記第１検索空間に位置する第１物理リソースブロックの第１領域の第１のリソース要素で前記リレー端末に対して指示される第１ダウンリンクグラントをデコーディングするステップと、
前記第２検索空間に位置する前記第１物理リソースブロックの第２領域の第２のリソース要素で前記リレー端末に対して指示される第１アップリンクグラントをデコーディングするステップと、を含み、前記第２のリソース要素は、前記第１ダウンリンクグラントに関連した前記第１のリソース要素の位置と関連しており、
前記第１検索空間は、第１時間スロットに位置し、
前記第２領域は、第２時間スロットに位置することを特徴とするリレー端末の使用のための方法。
【発明の詳細な説明】
【技術分野】
【０００１】
本発明は、一般的な無線通信に関する。より詳細には、本発明は、リレー物理ダウンリンク制御チャネルでデータをインターリビングするための方法及びシステムに関する。
【背景技術】
【０００２】
次の文書及び標準ディスクリプションは、ここに詳らかに記述さるように、本発明中に統合される：１）３ＧＰＰ技術報告書（ＴＲ）番号３６．８１４、バージョン０．４．１、“Ｆｕｒｔｈｅｒ  Ａｄｖａｎｃｅｍｅｎｔｓ  Ｆｏｒ  Ｅ−ＵＴＲＡ  Ｐｈｙｓｉｃａｌ  Ｌａｙｅｒ  Ａｓｐｅｃｔｓ”；２）３ＧＰＰ番号Ｒ１−０８４３５７、エリックスン、“Ｅｆｆｉｃｉｅｎｔ  Ｓｕｐｐｏｒｔ  Ｏｆ  Ｒｅｌａｙｓ  Ｔｈｒｏｕｇｈ  ＭＢＳＦＮ  Ｓｕｂｆｒａｍｅｓ”；３）３ＧＰＰ技術報告書（ＴＲ）番号３６．２１１、バージョン９．０．０、“Ｐｈｙｓｉｃａｌ  Ｃｈａｎｎｅｌｓ  Ａｎｄ  Ｍｏｄｕｌａｔｉｏｎ”；及び４）３ＧＰＰ技術報告書（ＴＲ）番号３６．２１２、バージョン８．５．０、“Ｍｕｌｔｉｐｌｅｘｉｎｇ  Ａｎｄ  Ｃｈａｎｎｅｌ  Ｃｏｄｉｎｇ”。
【０００３】
３ＧＰＰ及びＬＴＥ無線ネットワークの最新の形態は、基地局（ｂａｓｅ  ｓｔａｔｉｏｎまたはｅＮｏｄｅＢと言う）と移動端末（ＭＳ；ｍｏｂｉｌｅ  ｓｔａｔｉｏｎ）との間にデータを伝送するために無線リレー端末(wireless mobile station)（またはリレー（relays））の使用をサポートする。移動端末（ＭＳ）は、ユーザ装置（ＵＥ；ｕｓｅｒ  ｅｑｕｉｐｍｅｎｔ）、遠隔ターミナル（ＲＴ；ｒｅｍｏｔｅ  ｔｅｒｍｉｎａｌ）、加入者端末（ＳＳ；ｓｕｂｓｃｒｉｂｅｒ  ｓｔａｔｉｏｎ）などとも称される。基地局（ＢＳ）は、リレー及び移動端末からデータを伝送し受信する。基地局とリレーの間の伝送リンクは、バックホールリンク（ｂａｃｋｈａｕｌ  ｌｉｎｋ）またはＵｎリンクと称される。リレーは、基地局から受信されたデータを対応するリレーに対してリンク（Ｕｕリンク）を有する（リレーＭＳとして識別される）移動端末に伝送（ｆｏｒｗａｒｄ）する。リレーは、また、リレーＭＳから受信されたデータを基地局に伝送する。
【０００４】
リレーは、無線接続ネットワークに無線で接続されることができ、この接続は、帯域内（ｉｎ−ｂａｎｄ）または帯域外（ｏｕｔ−ｏｆ−ｂａｎｄ）になることができる。帯域内伝達のために、基地局対リレー（ＢＳ−ｔｏ−ｒｅｌａｙ）リンクは、リレー対移動端末（ｒｅｌａｙ−ｔｏ−ＭＳ）リンクと同一の周波数スペクトルで動作する。リレー伝送機は、自身の受信機への干渉を誘発し得るので、同時で、同一の周波数資源上の基地局対リレー及びリレー対移動端末伝送は適さない。干渉問題を取り扱うための１つの方法は、（すなわち、リレー対移動端末伝送でギャップ（ｇａｐ）を生成するために）リレーが提供者基地局からデータを受信することになっているとき、リレーが移動端末に対して伝送しないようにリレーを動作させることである。ＬＴＥシステムで、このようなギャップは、前述したように、参照として含まれる３ＧＰＰ技術レポート番号３６．８１４、バージョン０．４．１、“Ｆｕｒｔｈｅｒ  Ａｄｖａｎｃｅｍｅｎｔｓ  Ｆｏｒ  Ｅ−ＵＴＲＡ  Ｐｈｙｓｉｃａｌ  Ｌａｙｅｒ  Ａｓｐｅｃｔｓ”に例示されたように、ＭＢＳＦＮ（ＭＢＭＳ（ｍｕｌｔｉｃａｓｔ  ｂｒｏａｄｃａｓｔ  ｍｕｌｔｉｍｅｄｉａ  ｓｅｒｖｉｃｅｓ）ｓｉｎｇｌｅ  ｆｒｅｑｕｅｎｃｙ  ｎｅｔｗｏｒｋ）サブフレームを構成することによって生成されることができる。
【０００５】
基地局対リレー通信は、ＭＢＳＦＮサブフレームで発生し、移動端末は、この期間中にリレーからデータを受信することを予期しない。しかし、リレーは、相変らず移動端末に制御情報を伝送することが必要である。これは、前述したように、参照として含まれる前述したレファレンスによって含まれる３ＧＰＰ文書番号、Ｒ１−０８４３５７、エリックスン、“Ｅｆｆｉｃｉｅｎｔ  Ｓｕｐｐｏｒｔ  Ｏｆ  Ｒｅｌａｙｓ  Ｔｈｒｏｕｇｈ  ＭＢＳＦＮ  Ｓｕｂｆｒａｍｅｓ”に説明されるように、１つまたは２つのシンボルを収容する。したがって、リレーは、同一のサブフレームで、移動端末に対して制御情報を伝送すると共に、基地局から制御情報を受信することができる。
【０００６】
一般的に、この問題を取り扱うために２つの方法が存在する。１つの具現例で、ネットワークは、移動端末にＰＤＣＣＨを伝送すると共に、リレーが必ず基地局からＰＤＣＣＨを受信するようにするためにサブフレーム間のオフセット遅延（ｏｆｆｓｅｔ  ｄｅｌａｙ）のいくつかのＯＦＤＭシンボルを導入することができる。他の具現例で、ネットワークは、基地局（ＢＳ）からリレー端末（ＲＳ；ｒｅｌａｙ  ｓｔａｔｉｏｎ）にリレー物理ダウンリンク制御チャネル（Ｒ−ＰＤＣＣＨ）を導入し、これは、ＰＤＳＣＨ領域と一致する。
【０００７】
Ｒ−ＰＤＣＣＨ多重化のために考慮される２つの伝送スキームが存在する。これは、ｉ）ＴＤＭ／ＦＤＭハイブリッド及びｉｉ）純粋な(pure)ＦＤＭである。図４は、概念的なＴＤＭ／ＦＤＭハイブリッドと純粋なＦＤＭＲ−ＰＤＣＣＨ構造を示す。両者のスキームは、いずれも長所及び短所が存在する。純粋なＦＤＭ接近に関する１つの短所は、リレー端末での遅延である。これは、リレーが、Ｒ−ＰＤＣＣＨをデコーディングする時、リレー物理ダウンリンク共有チャネル（Ｒ−ＰＤＳＣＨ；ｒｅｌａｙ  ｐｈｙｓｉｃａｌ  ｄｏｗｎｌｉｎｋ  ｓｈａｒｅｄ  ｃｈａｎｎｅｌ）をバッファリングする事実に起因する。これは、リレーで遅延及びバッファーの大きな占有をもたらす。１つの解決策は、時間ドメインでリソース要素のいくつかのセットに物理リソースブロック（ＰＲＢ）を分割することである。リソース要素の各セットは、物理制御チャネル要素（Ｐ−ＣＣＥ；ｐｈｙｓｉｃａｌ  ｃｏｎｔｒｏｌ  ｃｈａｎｎｅｌ  ｅｌｅｍｅｎｔ）に対応する。したがって、ダウンリンクグラント及びアップリンクグラントは、互いに異なる物理制御チャネル要素（ＣＣＥｓ）に割り当てられ得る。
【０００８】
物理リソースブロック（ＰＲＢ）を２個の物理制御チャネル要素（Ｐ−ＣＣＥ）に分割する実施形態において、スロットバウンダリーは、２個のセットをパーティションするのに使用されることができる。従来のＬＴＥシステムで、サブフレームは、２個のスロットを含むことができることに留意しなければならない。ここで、各スロットは、一例として７個のＯＦＤＭシンボルを含むことができる。そのような実施形態において、移動端末は、第２セット内のレファレンス信号リソース要素（ＲＳＲＥ；ｒｅｆｅｒｅｎｃｅ  ｓｉｇｎａｌ  ｒｅｓｏｕｒｃｅ  ｅｌｅｍｅｎｔ）のみを利用する第２スロットに属するデータリソース要素を復調するうちに、第１セット内のレファレンス信号リソース要素（ＲＳＲＥ）のみを利用する第１スロットに属するデータリソース要素を復調する。同一の物理リソースブロックのレファレンス信号リソース要素のためのプリコーダは、潜在的に（ｐｏｔｅｎｔｉａｌｌｙ）異なっていることができる。
【０００９】
ＬＴＥのリリース８（Ｒｅｌ−８）で、ＰＤＣＣＨブロックは、前述したように、参照として含まれる３ＧＰＰ技術レポート（ＴＲ）番号３６．２１１、バージョン９．０．０、“Ｐｈｙｓｉｃａｌ  Ｃｈａｎｎｅｌｓ  Ａｎｄ  Ｍｏｄｕｌａｔｉｏｎ”に特定されるように、多重化されインターリビングされる。多重化及びインターリビングの詳細事項は、特にセクション６．８．２、名称“ＰＤＣＣＨ  Ｍｕｌｔｉｐｌｅｘｉｎｇ  Ａｎｄ  Ｓｃｒａｍｂｌｉｎｇ”、セクション６．８．３、名称“Ｍｏｄｕｌａｔｉｏｎ”、セクション６．８．４、名称“Ｌａｙｅｒ  Ｍａｐｐｉｎｇ  Ａｎｄ  Ｐｒｅｃｏｄｉｎｇ”、及びセクション６．８．５、名称“Ｍａｐｐｉｎｇ  Ｔｏ  Ｒｅｓｏｕｒｃｅ  Ｅｌｅｍｅｎｔｓ”で説明される。
【００１０】
上記で識別されたセクションに示されたように、リリース−８ＰＤＣＣＨ多重化及びインターリビング、ダウンリンク（ＤＬ）グラント及びアップリンク（ＵＬ）グラントは、区別される。したがって、ダウンリンク及びアップリンクグラントは、同一の移動端末−特定検索空間（ｓｅａｒｃｈ  ｓｐａｃｅ）を共有する。したがって、この技術分野でリレー端末と基地局との間のバックホールリンクでオーバーヘッド及び遅延問題を緩和するために、Ｒ−ＰＤＣＣＨでＲ−ＰＤＣＣＨの検索空間を設計し、データをインターリビングするための向上した技術に対する要求が存在する。
【発明の概要】
【発明が解決しようとする課題】
【００１１】
本発明の目的は、リレー端末と基地局との間のバックホールリンクでオーバーヘッド及び遅延問題を緩和することができるリレー物理ダウンリンク制御チャネルでデータをインターリビングし、伝送資源にマッピングする方法及びシステムを提供することにある。
【課題を解決するための手段】
【００１２】
無線ネットワーク及び関連した方法が提供される。無線ネットワークは、移動端末と通信するように動作する第１基地局と、前記第１基地局と複数の移動端末との間の双方向通信を提供するための複数のリレー端末とを含む。前記第１基地局は、複数のリレー端末にダウンリンクでリレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を伝送する。前記Ｒ−ＰＤＣＣＨは、ｉ）前記複数のリレー端末と関連したダウンリンクグラントを含む第１検索空間と、ｉｉ）前記複数のリレー端末と関連したアップリンクグラントを含む第２検索空間とを含む。
【００１３】
移動端末と通信するように動作する第１基地局を含む無線ネットワークで使用のための第１リレー端末及び関連した方法が提供される。前記第１リレー端末は、第１基地局と複数の移動端末との間の双方向通信を提供する。前記第１リレー端末は、リレー物理ダウンリンク制御チャネル（Ｒ−ＰＤＣＣＨ；ｒｅｌａｙ  ｐｈｙｓｉｃａｌ  ｄｏｗｎｌｉｎｋ  ｃｏｎｔｒｏｌ  ｃｈａｎｎｅｌ）を前記第１基地局からダウンリンクで受信する。前記Ｒ−ＰＤＣＣＨは、ｉ）複数のリレー端末と関連したダウンリンクグラントを含む第１検索空間と、ｉｉ）前記複数のリレー端末と関連したアップリンクグラントを含む第２検索空間とを含む。前記第１リレー端末は、前記第１リレー端末と関連したダウンリンクグラントデコーディングし、そして前記第１リレー端末と関連したアップリンクグラントをデコーディングするように動作する。
【００１４】
下記のような本発明の詳細な説明に入るに先立って、本特許文献全体にわたって使用される任意の単語、そして構文の一部に対する定義について説明することが有利であろう。用語“備える（ｉｎｃｌｕｄｅ）、”そして“含む（ｃｏｍｐｒｉｓｅ）”は、それから派生したものと共に、制限なしに含まれることを意味する；用語“または（ｏｒ）”は、及び／または（ａｎｄ／ｏｒ）の意味を含むことができる；構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに接続する（ｉｎｔｅｒｃｏｎｎｅｃｔ ｗｉｔｈ）、含有する（ｃｏｎｔａｉｎ）、内に含有される（ｂｅ ｃｏｎｔａｉｎｅｄ ｗｉｔｈｉｎ）、〜にまたは〜と接続する（ｃｏｎｎｅｃｔ ｔｏ ｏｒ ｗｉｔｈ）、〜にまたは〜と対で接続する（ｃｏｕｐｌｅ ｔｏ ｏｒ ｗｉｔｈ）、〜と通信を行うことができる（ｂｅ ｃｏｍｍｕｎｉｃａｂｌｅ ｗｉｔｈ）、〜に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、〜に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、〜の資産を有する（ｈａｖｅ ａ ｐｒｏｐｅｒｔｙ ｏｆ）などの意味になることができる。用語“制御機（ｃｏｎｔｒｏｌｌｅｒ）”は、ハードウェア、ファームウエア、ソフトウェアまたは前述したもの（ハードウェア、ファームウエア、ソフトウェア）のうち少なくとも２個の組合で具現されるそのような装置の少なくとも１つの動作を制御する任意の装置、システムまたはそれらの一部を意味する。ある個別制御機に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、そうでなければ大部分の場合で、そのように定義された単語と構文の今後の使用と共に、先立って適用されたそのような定義を理解することができる。
【発明の効果】
【００１５】
本発明によってリレー物理ダウンリンク制御チャネルでデータをインターリビングし、伝送資源にマッピングすることによって、リレー端末と基地局との間のバックホールリンクでオーバーヘッド及び遅延問題を解消することができる。
本発明の実施例と本発明の長所に対するさらに明確な理解のために、以下の詳細な説明は、添付の図面を参照する。図面で、同一の参照番号は、同一の部分を示す。
【図面の簡単な説明】
【００１６】
【図１】本発明の実施例によるリレー端末を動作させるために適した例示的な無線ネットワークを示す。
【図２Ａ】本発明の一実施例による例示的なリレー端末の上位レベルを示す図である。
【図２Ｂ】本発明の一実施例による例示的なリレー端末の上位レベルを示す図である。
【図３】本発明の一実施例によるリレー端末を介した移動端末と基地局との間のアップリンク及びダウンリンクで無線伝送を示す。
【図４】３ＧＰＰ  ＬＴＥシステムで例示的なリソースブロック（ＲＢ；ｒｅｓｏｕｒｃｅ  ｂｌｏｃｋ）を示す。
【図５】本発明の実施例によるリレー端末をサポートするダウンリンク物理リソースグリッドを示す。
【図６】本発明の一実施例でアップリンク及びダウンリンクグラントをインターリビングしマッピングするためのプロシージャを示す。
【図７】本発明の一実施例によって互いに異なるリレー端末が多重化されるＲ−ＰＤＣＣＨの構造を示す。
【図８】本発明の他の実施例によるＲ−ＰＤＣＣＨの構造を示す。
【図９】本発明の一実施例によって多重化される互いに異なるリレー端末のためのＲ−ＰＤＣＣＨの構造を示す。
【図１０】本発明の実施例によるアップリンクグラント及びダウンリンクグラントをインターリビングし多重化するためのプロシージャを示す。
【図１１】本発明の実施例によるアップリンクグラント及びダウンリンクグラントをインターリビングし多重化するためのプロシージャを示す。
【図１２】本発明の実施例によるダウンリンクグラントをインターリビングし多重化するプロシージャを示す。
【図１３】本発明の一実施例によるＲ−ＲＥＧ要素に基づくインターリビングのためのＲ−ＰＤＣＣＨの構造を示す。
【図１４】本発明の一実施例による例示的なリレー端末で検索プロシージャを示す。
【発明を実施するための形態】
【００１７】
この特許文献で本発明の原理を説明するために使用された多様な実施形態及び図１〜図１４は、ただ説明のために使用され、本発明の特許請求の範囲を制限するものに解釈すべきではない。この技術分野における通常の知識を有する者なら適切に定められたいかなる無線通信システムにも本発明の原理が具現されることができることを理解することができる。
【００１８】
図１は、本発明の実施形態によるリレー端末を動作させるために適した例示的な無線ネットワークを示す。図示の実施形態において、無線ネットワーク１００は、基地局（ＢＳ；ｂａｓｅ  ｓｔａｔｉｏｎ）１０１、基地局１０２、及び基地局１０３を含む。基地局１０１は、基地局１０２及び基地局１０３と通信する。基地局１０１は、また、インターネット、私有（ｐｒｏｐｒｉｅｔａｒｙ）ＩＰ（Ｉｎｔｅｒｎｅｔ  ｐｒｏｔｏｃｏｌ）ネットワーク、または他のデータネットワークのような、ＩＰネットワークと通信する。
【００１９】
ネットワークの形式によって、“基地局（ｂａｓｅ  ｓｔａｔｉｏｎ）”の代わりに、“ｅＮｏｄｅＢ”または“アクセスポイント（ａｃｃｅｓｓ  ｐｏｉｎｔ）”のように他のよく知られた用語が使用されることができる。便宜上、ここでは、用語“基地局（ｂａｓｅ  ｓｔａｔｉｏｎ）”が遠隔ターミナルに対して無線接続を提供するネットワークインフラストラクチャーコンポネントを示すために使用される。
【００２０】
基地局１０２は、基地局１０２のカバレージ領域１２０内で第１複数の移動端末に対して、基地局１０１を介してネットワーク１３０に対する無線広帯域接続を提供する。第１複数の移動端末は、移動端末１１１、移動端末１１２、移動端末１１３、移動端末１１４、移動端末１１５及び移動端末１１６を含む。例示的な実施形態において、移動端末１１１は、小規模事業者（ＳＢ；ｓｍａｌｌ  ｂｕｓｉｎｅｓｓ）に位置することができ、移動端末１１２は、大規模事業者（Ｅ；ｅｎｔｅｒｐｒｉｓｅ）に位置することができ、移動端末１１３は、ＷｉＦｉホットスポット（ＨＳ；ｈｏｔｓｐｏｔ）に位置することができ、移動端末１１４は、第１居住地（Ｒ；ｒｅｓｉｄｅｎｃｅ）に位置することができ、移動端末１１５は、第２居住地（Ｒ；ｒｅｓｉｄｅｎｃｅ）に位置することができ、移動端末１１６は、モバイル装置Ｍであるができる。
【００２１】
便宜上、ここで、用語“移動端末（ｍｏｂｉｌｅ  ｓｔａｔｉｏｎ）”は、移動端末が実際に移動型装置（例えば、セルラーフォン）であるか、あるいは、一般的に固定型装置（例えば、デスクトップパソコン、自動販売機など）として考慮されるか否かに関係なく、基地局に無線で接続するいかなる遠隔無線装置を指称するために使用される。“移動端末（ｍｏｂｉｌｅ  ｓｔａｔｉｏｎ）”の代わりに、“加入者端末（ＳＳ；ｓｕｂｓｃｒｉｂｅｒ  ｓｔａｔｉｏｎ）”、“遠隔ターミナル（ＲＴ；ｒｅｍｏｔｅ  ｔｅｒｍｉｎａｌ）”、“無線ターミナル（ＷＴ；ｗｉｒｅｌｅｓｓ  ｔｅｒｍｉｎａｌ）”、“ユーザ装置（ＵＥ；ｕｓｅｒ  ｅｑｕｉｐｍｅｎｔ）”などのような他のよく知られた用語が使用されることができる。
【００２２】
基地局１０３は、基地局１０３のカバレージ領域１２５内の複数の第２移動端末に対して、基地局１０１を介してＩＰネットワーク１３０に対して無線広帯域接続を提供する。複数の第２移動端末は、移動端末１１５及び移動端末１１６を含む。以下で、より詳細に説明されるように、基地局１０３は、また、リレー端末（ＲＳ）１１７を介して移動端末１１７と間接的に通信する。代案的な実施形態で、基地局１０２及び基地局１０３は、基地局１０１を介して間接的に接続される方法ではなく、光ファイバ、ＤＳＬ、ケーブルまたはＴ１／Ｅ１回線、有線広帯域接続を介して直接ＩＰネットワーク１３０と通信することができる。
【００２３】
基地局１０３は、基地局１０３のカバレージ領域１２５内で複数の第２端末に対して、基地局１０１を介してＩＰネットワーク１３０に対して無線広帯域接続を提供する。複数の第２移動端末は、移動端末１１５及び移動端末１１６を含む。以下で、より詳細に説明されるが、基地局１０３は、また、リレー端末ＲＳ、１１７を介して移動端末１１７と直接通信する。代案的な実施形態において、基地局１０２及び基地局１０３は、基地局１０１を介して間接的にではなく、光ファイバ、ＤＳＬ、ケーブルまたはＴ１／Ｅ１回線のような、有線広帯域接続の手段によってＩＰネットワーク１３０と直接接続されることができる。
【００２４】
他の実施形態で、基地局１０１は、さらに少ない数またはさらに多い数の基地局と通信状態にあり得る。移動端末１１５及び移動端末１１６は、カバレージ領域１２０及びカバレージ領域１２５の両方のエッジ（ｅｄｇｅ）上にある。移動端末１１５及び移動端末１１６は、それぞれ基地局１０２及び基地局１０３の両方と通信し、この技術分野で通常の知識を有する者に知られたように、ハンドオフモードで動作すると言える。
【００２５】
一実施形態において、基地局１０１〜１０３は、提案された３ＧＰＰ  ＬＴＥ標準、またはアドベンスド（ａｄｖａｎｃｅｄ）３Ｇまたは４Ｇ標準によって、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）プロトコルを利用する少なくともダウンリンクで移動端末１１１〜１１６と、そして相互間に通信することができる。
【００２６】
点線は、カバレージ領域１２０及び１２５の概略的な範囲を示す。これは、ただ図示及び説明の目的のためにほぼ円形状のように図示された。基地局と関連したカバレージ領域、例えば、カバレージ領域１２０及びカバレージ領域１２５は、基地局の構成及び純粋及び人工的に作られた障害物と関連した無線環境の変化によって、不規則的な形状を含む他の形状を有することができる。
【００２７】
好ましい実施形態において、少なくとも基地局１０３のカバレージ領域は、本発明の原理によって動作する、リレー端末ＲＳ、１４０及びリレー端末１４５によって向上する。リレー端末１４０は、移動端末１１７及び他の移動端末（図示せず）と通信を提供する。リレー端末１４５は、移動端末１１８及び他の移動端末（図示せず）と通信を提供する。
【００２８】
図３は、本発明の一実施形態によるリレー端末１４０を介した移動端末１１７と基地局１０３との間のアップリンク及びダウンリンクで無線伝送を示す。リレー端末１４０は、移動端末１１７及び他の移動端末（図示せず）に基地局１０３に対する無線接続を提供する。リレー端末１４０は、基地局１０３からダウンリンクトラフィックのフレームを受信し、移動端末１１７に増加されたパワーで受信されたダウンリンクトラフィックのフレームを再伝送する。リレー端末１４０は、また、移動端末１１７からアップリンクトラフィックのフレームを受信し、基地局１０３に増加されたパワーで受信されたアップリンクトラフィックのフレームを再伝送する。
【００２９】
図２Ａ及び図２Ｂは、本発明の一実施形態による例示的なリレー端末１４０の上位レベルを示す図である。リレー端末１４０は、伝送経路回路２００及び受信経路回路２５０を含む。伝送経路回路２００は、チャネルコーディング及び変調ブロック２０５、直列対並列（ｓｅｒｉａｌ−ｔｏ−ｐａｒａｌｌｅｌ；Ｓ−ｔｏ−Ｐ）ブロック２１０、サイズＮの逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）ブロック２１５、並列対直列（ｐａｒａｌｌｅｌ−ｔｏ−ｓｅｒｉａｌ；Ｐ−ｔｏ−Ｓ）ブロック２２０、循環前置（ＣＰ；ｃｙｃｌｉｃ  ｐｒｅｆｉｘ）挿入ブロック２２５、アップコンバータ（ＵＣ；ｕｐ−ｃｏｎｖｅｒｔｅｒ）２３０、及びタイミングオフセット制御機２４０を含む。受信経路回路２５０は、ダウンコンバータ（ＤＣ；ｄｏｗｎ−ｃｏｎｖｅｒｔｅｒ）２５５、循環前置（ＣＰ；ｃｙｃｌｉｃ  ｐｒｅｆｉｘ）除去ブロック２６０、直列対並列（ｓｅｒｉａｌ−ｔｏ−ｐａｒａｌｌｅｌ；Ｓ−ｔｏ−Ｐ）ブロック２６５、サイズＮの高速フーリエ変換（ＦＦＴ；Ｆａｓｔ  Ｆｏｕｒｉｅｒ  Ｔｒａｎｓｆｏｒｍ）ブロック２７０、並列対直列（ｐａｒａｌｌｅｌ−ｔｏ−ｓｅｒｉａｌ；Ｐ−ｔｏ−Ｓ）ブロック２７５、チャネルデコーディング及び復調ブロック２８０を含む。
【００３０】
伝送経路回路２００で、チャネルコーディング及び変調ブロック２０５は、情報ビットのセットを受信し、入力ビットを変調（例えば、ＱＡＭ）し、周波数ドメイン変調シンボルのシーケンスを生成する。情報ビットは、特に、リレー端末識別子（ＲＤ  ＩＤ）及びリレー端末１４０と関連した他のパラメータを含む。情報ビットは、また、基地局１０３から以前に受信されたデータトラフィックとともに、移動端末に伝送させるための、レファレンス制御信号（パイロットシンボルなど）を含む。
【００３１】
直列対並列ブロック２１０は、直列の変調シンボルを並列のデータに変換（例えば、逆多重化）し、Ｎ個の並列シンボルストリームを生成する。ここで、伝送経路回路２００及び受信経路回路２５０で使用されるＩＦＦＴ／ＦＦＴのサイズである。それでは、サイズＮのＩＦＦＴブロック２１５は、Ｎ個の並列のシンボルストリームに対してＩＦＦＴ動作を行い、時間ドメイン出力信号を生成する。並列対直列ブロック２２０は、サイズＮのＩＦＦＴブロック２１５からの並列の時間ドメイン出力シンボルを変換（例えば、多重化）し、直列の時間ドメイン信号を生成する。その後、循環前置挿入ブロック２２５は、循環前置（ＣＰ）を時間ドメイン信号に挿入する。
【００３２】
最後に、アップコンバータ２３０は、無線チャネルを介して伝送するために無線周波数（ＲＦ；ｒａｄｉｏ  ｆｒｅｑｕｅｃｙ）に循環前置挿入ブロック２２５の出力を変調（例えば、アップコンバート）する。信号は、また、無線周波数（ＲＦ）に変換される前に基底帯域（ＢＢ；ｂａｓｅ  ｂａｎｄ）でフィルタリンされることができる。例示的な実施形態において、伝送経路回路２００によって伝送される時間ドメイン出力は、リレー端末１４０の範囲内の移動端末に多重アンテナを介して伝送されることもできる。
【００３３】
受信経路回路２５０は、基地局１０３によって伝送される受信（ｉｎｃｏｍｉｎｇ）ダウンリンク信号を受信する。ダウンコンバータ２５５は、受信された信号を基底帯域周波数にダウンコンバートし、循環前置除去ブロック２６０は、循環前置（ＣＰ）を除去し、直列の時間ドメイン基底帯域信号を生成する。直列対並列ブロック２６５は、時間ドメイン基底帯域信号を並列の時間ドメイン信号に変換する。その後、サイズＮのＦＦＴブロック２７０は、ＦＦＴアルゴリズムを行い、Ｎ個の並列の周波数ドメイン信号を生成する。並列対直列ブロック２７５は、並列の周波数ドメイン信号を変調されたデータシンボルのシーケンスに変換する。チャネルデコーディング及び復調ブロック２８０は、変調されたシンボルを復調し、デコーディングし、基地局１０３によって伝送された元々の入力データストリームを復元する。元々のデータストリームは、最終的に、伝送経路回路２００に伝達され、移動端末１１７及び他の移動端末に再伝送される。
【００３４】
この技術分野で通常の知識を有する者は、基地局１０１〜１０３及び移動端末１１１〜１１８がリレー端末１４０と関連して前述したような伝送経路回路２００及び受信経路回路２５０と類似の伝送経路回路及び受信経路回路を含むことを容易に理解することができる。しかし、簡略化のために、基地局１０１〜１０３及び移動端末１１１〜１１８の回路アキテクチャーに対する不要な説明は省略される。
【００３５】
図４は、３ＧＰＰ  ＬＴＥ（例えば、リリース８またはリリース１０）で例示的なリソースブロック（ＲＢ）４００を示す。リソースブロック４００は、サブフレームのＰＤＳＣＨ（ｐｈｙｓｉｃａｌ  ｄｏｗｎｌｉｎｋ  ｓｈａｒｅｄ  ｃｈａｎｎｅｌ）の一部を示す。横軸は、時間を示す。縦軸は、周波数を示す。図４で、各ＯＦＤＭシンボルは、垂直に整列される。各垂直カラムで、四角形は、異なるサブキャリア周波数を示し、異なるサブキャリア周波数は、同一のＯＦＤＭシンボルの一部である。各行の四角形は、異なるＯＦＤＭシンボルで同一のサブキャリアを示す。したがって、各四角形は、時間周波数リソース要素（ＲＥ；ｒｅｓｏｕｒｃｅ  ｅｌｅｍｅｎｔ）を示し、この時間周波数リソース要素は、伝送情報に対して個別に変調されることができる。
【００３６】
各ＯＦＤＭシンボルは、Ｎ個の順次的なサブキャリアを含む。ここで、Ｎは、例えば、５１２、１０２４、２０４８などになることができる。周知のように、各サブキャリアは、個別に変調されることができる。現実的な理由によって、各ＯＦＤＭシンボルのただ小さいセグメントは、図４でリソースブロックＲＢに対して示される。例示的なリソースブロック４００は、例示的に１ミリ秒（ｍｉｌｌｉｓｅｃｏｎｄ）サブフレームの期間にわたっている。ここで、各サブフレームは、期間でそれぞれが０．５ミリ秒と同一の２個のスロットを含む。サブフレームは、１４個の順次的なＯＦＤＭシンボルドルを含む。したがって、各スロットは、７個の順次的なＯＦＤＭシンボルを含む。各スロットで７個のＯＦＤＭシンボルは、Ｓ０、Ｓ１、Ｓ２、Ｓ３、Ｓ４、Ｓ５、Ｓ６でラベリングされる。しかし、これは、ただ例示的な方法によるものであり、本発明の範囲を制限するために構成されるものではない。代案的な実施形態において、スロットは、その期間において０．５ミリ秒より大きいか、小さくてもよい。そして、サブフレームは、１４個以上であるか、またはそれ以下のＯＦＤＭシンボルを含むこともできる。
【００３７】
例示的な実施形態において、リソースブロック４００は、周波数次元で１２個の順次的なサブキャリア、そして時間次元で１４個のＯＦＤＭシンボルにわたっている。したがって、リソースブロック４００は、１６８個の時間周波数リソースを含む。しかし、これは、ただ例示的なものである。代案的な実施形態において、リソースブロック４００は、１２個のサブキャリア以上または以下、そして１４個のＯＦＤＭシンボル以上または以下にわたっている。したがって、リソースブロック４００でリソース要素（ＲＥｓ）の全体数は、多様であることができる。多重入力多重出力（ＭＩＭＯ；ｍｕｌｔｉｐｌｅ−ｉｎｐｕｔ、ｍｕｌｔｉｐｌｅ−ｏｕｔｐｕｔ）基地局のような多重アンテナシステムにおいて、“ＣＲＳＰ０”、“ＣＲＳＰ１”、“ＣＲＳＰ２”、及び“ＣＲＳＰ３”でラベリングされたサブキャリアは、個別アンテナポートに対するセル特定レファレンス信号（ＣＲＳ；ｃｅｌｌ−ｓｐｅｃｉｆｉｃ  ｒｅｆｅｒｅｎｃｅ  ｓｉｇｎａｌ）（例えば、パイロット信号）を示す。したがって、例えば、ＣＲＳ  Ｐ０は、アンテナポート０に対するセル特定レファレンス信号（ＣＲＳ）である。
【００３８】
リソースブロック４００で（レファレンス信号と反対に）ユーザデータを伝達するリソース要素は、“Ｄ”でラベリングされる。例示的な方法によって、図４で、偶数番号スロット（ｅｖｅｎ−ｎｕｍｂｅｒｅｄ  ｓｌｏｔ）でＯＦＤＭシンボルＳ３は、セル特定レファレンス信号リソース要素（ＣＲＳ  ＲＥ）を含まない。ＯＦＤＭシンボルＳ３で各リソース要素は、識別されたユーザデータに対してＤでラベリングされる。
【００３９】
図５は、本発明の実施形態によるリレー端末をサポートするダウンリンク物理リソースグリッドを示す。ダウンリンク物理リソースグリッドは、第１タイムスロット（スロット１、Ｓｌｏｔ  １）及び第２タイムスロット（スロット２、Ｓｌｏｔ  ２）を含むサブフレームの一部を示す。リレー物理ダウンリンク制御チャネル（Ｒ−ＰＤＣＣＨ）は、少なくとも第１リソースブロックＲＢ１及び第２リソースブロックＲＢ２にわたっている。第１リソースブロックＲＢ１及び第２リソースブロックＲＢ２は、リレー物理ダウンリンク共有チャネル（Ｒ−ＰＤＳＣＨ）と関連したリソースブロックによって分割される。図４の場合のように、縦軸は、周波数を示し、横軸は、時間を示す。また、図４の場合のように、垂直整列されたＯＦＤＭシンボルのただ制限されたセグメントだけが実用的な理由によって図示されることができる。したがって、この技術分野で通常の知識を有する者なら、Ｒ−ＰＤＣＣＨが図示されていないが、スロット１及びスロット２で垂直に整列された他のリソースブロックを含むことができることを理解することができる。
【００４０】
Ｒ−ＰＤＣＣＨ多重化は、いくつかのキー要素で構成される：検索空間（ｓｅａｒｃｈ  ｓｐａｃｅ）、インターリビング及びリソース要素に対するマッピング。本発明の実施形態は、これらを無線ネットワーク１００の基地局及びリレー端末でＲ−ＰＤＣＣＨを多重化するための向上した技術とともに取り扱う。ＬＴＥのリリース１０で、移動端末及びリレー端末は、復調レファレンス信号（ＤＭ−ＲＳ）リソース要素に基づいてＲ−ＰＤＳＣＨをデコーディングする。これは、専用レファレンス信号（ＤＲＳ；ｄｅｄｉｃａｔｅｄ  ｒｅｆｅｒｅｎｃｅ  ｓｉｇｎａｌ）の一種である。バックホールリンクで、Ｒ−ＰＤＣＣＨのＴＤＭ／ＦＤＭ構造の利得を得るために、異なるスロットと関連したＤＭ−ＲＳリソースは、異なるプリコーダによって内在的に（ｐｏｔｅｎｔｉａｌｌｙ）プリコーディングされることができる。図６で、ＤＭ−ＲＳリソース要素の異なるセットは、異なるプリコーダによってプリコーディングされることができる。
【００４１】
本発明の一実施形態において、論理ドメインでチャネル制御要素（ＣＣＥ）は、いくつかの分離したセットに分割される。ここで、各セットは、個別検索空間（ｓｅａｒｃｈ  ｓｐａｃｅ）に対応する。さらに、各検索空間は、独立的にインターリビングされ、互いに異なる物理チャネル制御要素（Ｐ−ＣＣＥ）にマッピングされる。例えば、論理ドメインで、全体２Ｍ  ＣＣＥは、２個の分割されたセット（例えば、セット１及びセット２）に分割されることができる。ここで、各セットは、Ｍチャネル制御要素を含む。各論理ＣＣＥセットは、検索空間と連関される。
【００４２】
第１セット（すなわちセット１）の論理ドメインＣＣＥは、インターリビングされ、第１セットと関連した物理ＣＣＥ（Ｐ−ＣＣＥ）にマッピングされる。一方、第２セット（すなわちセット２）の論理ＣＣＥは、インターリビングされ、第２セットと関連したＰ−ＣＣＥにマッピングされる。例示的な方法によって、図５で、第１セットのＰ−ＣＣＥは、スロット１のリソース要素にマッピングされることができ、第２セットのＰ−ＣＣＥは、スロット２のリソース要素にマッピングされることができる。
【００４３】
図６は、本発明の実施形態による論理ドメインＣＣＥを物理ＣＣＥにインターリビングし、マッピングさせるプロシージャを示す。図６で、互いに異なるリレー端末のダウンリンクグラント（ＤＬ  ｇｒａｎｔ、ダウンリンク伝送資源割り当て）とともに、一般制御情報（図示せず）は、第１セット（セット１）と関連した検索空間で多重化される。一方、互いに異なるリレー端末のアップリンクグラント（ＵＬ  ｇｒａｎｔ、アップリンク伝送資源割り当て）は、第２セット（セット２）と関連した検索空間で多重化される。
【００４４】
例示的な方法で、リレー１のためのダウンリンクグラントは、第１セットと関連した論理ドメインチャネル制御要素ＣＣＥ１、ＣＣＥ２及びＣＣＥ３に配置されるか、または割り当てられる。そして、リレーｎのためのダウンリンクグラントは、第１セットと関連した少なくとも論理ドメインチャネル制御要素ＣＣＥＭに配置されるか、または割り当てられる。それでは、インターリバー（ｉｎｔｅｒｌｅａｖｅｒ）は、ＣＣＥ１  ＣＣＥ  ＭでＰ−ＣＣＥの第１セットと関連したＰ−ＣＣＥ１  −  Ｐ−ＣＣＥ  Ｍでダウンリンクグラントをインターリビングする。
【００４５】
同様に、リレー１のためのアップリンクグラントは、第２セットと関連した論理ドメインチャネル制御要素ＣＣＥ１、ＣＣＥ２及びＣＣＥ３に配置されるか、または割り当てられる。そしてリレーｎのためのアップリンクグラントは、第２セットと関連した少なくとも論理ドメインチャネル制御要素ＣＣＥ  Ｍに配置されるか、または割り当てられる。それでは、インターリバー（ｉｎｔｅｒｌｅａｖｅｒ）は、ＣＣＥ１  −  ＣＣＥ  ＭでＰ−ＣＣＥの第２セットと関連したＰ−ＣＣＥ１  −  Ｐ−ＣＣＥ  Ｍでアップリンクグラントをインターリビングする。
【００４６】
図６に示されたように、共通制御情報及び異なるリレー端末のためのダウンリンクグラントは、第１セットで多重化されインターリビングされる。一方、互いに異なるリレー端末のためのアップリンクグラントは、第２セットで多重化され、個別にインターリビングされる。
【００４７】
一般的に、本発明の実施形態の方法に関連した３個の検索空間が存在する：１）共通制御検索空間；２）リレー端末−特定ダウンリンクグラント検索空間；及び３）リレー端末特定アップリンク検索空間。
【００４８】
基地局からＲ−ＰＤＣＣＨを受信するために、リレー端末は、互いに異なる検索空間のためのＣＣＥ結合レベル（ａｇｇｒｅｇａｔｉｏｎ  ｌｅｖｅｌ）の推定（ｈｙｐｏｔｈｅｓｉｓ）に基づくブラインドデコーディング（ＢＤ；ｂｌｉｎｄ  ｄｅｃｏｄｅ）を行う。例えば、リレー端末は、セット１と関連した検索空間で共通制御情報に対してブラインドデコーディングを行い、セット１と関連した検索空間でダウンリンクグラントに対してブラインドデコーディングを行い、そして、セット２と関連した検索空間でアップリンクグラントに対してブラインドデコーディングを行う。
【００４９】
図７は、本発明の一実施形態によって互いに異なるリレー端末が多重化されるＲ−ＰＤＣＣＨの構造を示す。図７で、ダウンリンクグラント及びアップリンクグラントのＣＣＥ結合レベルは、異なっていてもよい。対応するダウンリンク制御情報（ＤＣＩ）フォーマットのサイズは、同一であるか、または異なっていてもよい。例示的な方法で、第１リレー端末（リレー１、Ｒｅｌａｙ  １）に対するダウンリンクグラントは、第１タイムスロット（スロット１）の第１リソースブロック（ＲＢ１）でＡでラベリングされた領域と関連したＰ−ＣＣＥで伝達される。第２リレー端末（リレー２、Ｒｅｌａｙ  ２）に対するダウンリンクグラントは、スロット１の第２リソースブロック（ＲＢ２）でＢでラベリングされた領域と関連したＰ−ＣＣＥで伝達される。
【００５０】
しかし、リレー２に対するアップリンクグラントは、第２タイムスロット（スロット２）の第１リソースブロック（ＲＢ１）でＣでラベリングされた領域と関連したＰ−ＣＣＥで伝達される。リレー１に対するアップリンクグラントは、スロット２の第２リソースブロック（ＲＢ２）でＤでラベリングされた領域と関連したＰ−ＣＣＥで伝達される。
【００５１】
図８は、本発明の他の実施形態によるＲ−ＰＤＣＣＨの構造を示す。図８で、Ｒ−ＰＤＣＣＨは、個別リレー端末のためのダウンリンクグラント及びアップリンクグラントに対して同一の結合レベルを有するように構成される。図７のように、共通制御情報とともにダウンリンクグラントは、１つの検索空間に多重化され、インターリビングされる。一方、アップリンクグラントは、他の分離した検索空間に多重化され、インターリビングされる。さらに、個別リレー端末のためのダウンリンクグラント及びアップリンクグラントのための検索空間は、リンクされる。
【００５２】
例示的な方法で、２Ｍ論理ＣＣＥが０から２Ｍ−１にナンバリングされるものと仮定する。ここで、Ｐ−ＣＣＥのナンバリングは、まず、周波数の規則（すなわちサブキャリア）に従い、その後、時間（すなわちＯＦＤＭシンボル）に従う。全体２Ｍ  Ｐ−ＣＣＥが存在する場合に対して、Ｐ−ＣＣＥ番号は、図９のように示される。図９で、第１  ＭＰ−ＣＣＥ、すなわちＰ−ＣＣＥ  ０〜ＰないしＣＣＥ  Ｍ−１は、スロット１のリソースブロックで（上から下まで）垂直に整列される。同様に、第２  Ｍ  Ｐ−ＣＣＥ、すなわち、Ｐ−ＣＣＥ  ＭないしＰ−ＣＣＥ  ２Ｍ−１は、スロット２のリソースブロックで上から下まで垂直に整列される。
【００５３】
図９は、本発明の一実施形態によって多重化される互いに異なるリレー端末のためのＲ−ＰＤＣＣＨの構造を示す。インターリビング後に、リレー端末ｉのためにアップリンクグラントがＰ−ＣＣＥｉｋ１〜ＰないしＣＣＥｉｋ２に配置されるか、または割り当てられれば、リレー端末ｉのための対応するアップリンクグラントは、Ｐ−ＣＣＥｉｋ１＋ＭないしＰ−ＣＣＥｉｋ２＋Ｍに割り当てられる。そのような場合において、同一のリレー端末のためのアップリンクグラント及びダウンリンクグラントは、同一の物理リソース（ＲＢ）のリソース要素で伝達される。例示的な方法によって、図９で、リレー１のためのアップリンクグラント及びダウンリンクグラントは、いずれもリソースブロックＲＢ１に配置されるか、または割り当てられるが、異なる時間スロットに配置されるか、割り当てられる。好ましくは、図９のこのような構成は、潜在的に（ｐｏｔｅｎｔｉａｌｌｙ）要求されるブラインドデコーダーの数が減少することができる。
【００５４】
図１０は、本発明の実施形態によるアップリンクグラント及びダウンリンクグラントをインターリビングし、多重化するためのプロシージャを示す。図示の実施形態において、Ｐ−ＣＣＥは、２個のセットに分割される。ここで、各セットは、システムでＰ−ＣＣＥのすべての数の半分を含む。例示的な方法によって、全体“Ｔ”個のＰ−ＣＣＥ（すなわちＰ−ＣＣＥ１ないしＰ−ＣＣＥＴ）は、第１セット（及び時間スロット）にあり、全体“Ｔ”個のＰ−ＣＣＥ（すなわち、Ｐ−ＣＣＥＴ＋１ないしＰ−ＣＣＥ２Ｔ）は、第２セットにある。論理ドメインＣＣＥで共通制御情報（図示せず）及びダウンリンクグラントは、インターリビングされ、ただマッピングされる。第１セットのＰ−ＣＣＥにマッピングされる。一方、アップリンクグラントは、独立的にインターリビングされ、両方のセットのＰ−ＣＣＥにマッピングされる。
【００５５】
図１１は、本発明の実施形態によるアップリンクグラント及びダウンリンクグラントをインターリビングし、多重化するためのプロシージャを示す。図示の実施形態において、Ｐ−ＣＣＥは、２個のセットに分割される。ここで、各セットは、システムでＰ−ＣＣＥのすべての数の半分を含む。論理ドメインでＣＣＥは、また、同一のサイズの２個のセットに分割される。アップリンクグラント（ＵＬＧ）の一部とともに、論理ドメインＣＣＥで共通制御情報（図示せず）及びダウンリンクグラント（ＤＬＧ）は、論理ドメインＣＣＥ（すなわちＣＣＥ１ないしＣＣＥ  Ｍ）の第１セットに配置されるか、または割り当てられる。論理ドメインＣＣＥは、インターリビングされ、第１セット（すなわち、Ｐ−ＣＣＥ１ないしＰ−ＣＣＥ  Ｔ）と関連したＰ−ＣＣＥにマッピングされる。残りのリレー端末特定アップリンク制御情報は、多重化され、インターリビングされ、そして第２セット（すなわち、Ｐ−ＣＣＥ  Ｔ＋１ないしＰ−ＣＣＥ  ２Ｔ）に属するＰ−ＣＣＥにマッピングされる。
【００５６】
図１２は、本発明の実施形態によるダウンリンクグラントをインターリビングし、多重化するプロシージャを示す。図示の実施形態において、インターリビングは、Ｒ−ＲＥＧ要素に基づく。ここで、物理リソースブロックの論理ドメインＣＣＥ及びＰ−ＣＣＥの両方は、いくつかのＲ−ＲＥＧ要素にさらに分割される。上記実施形態で示されたものと類似の方法を利用して、ダウンリンク制御情報の多重化は、ＣＣＥレベルに基づく。一方、インターリビングは、Ｒ−ＲＥＧレベルに基づく。
【００５７】
例えば、多重リレー端末のためのダウンリンクグラント（ＤＬＧ）と共に、共通制御情報都（図示せず）は、論理ドメインＣＣＥレベルで多重化され、Ｒ−ＲＥＧ要素にさらに分割される。それでは、Ｒ−ＲＥＧ要素は、インターリビングされ、第１セット（第１時間スロット）と関連したＰ−ＣＣＥのＲ−ＲＥＧ要素にマッピングされる。一方、他のダウンリンク制御情報（すなわちアップリンクグラント）は、多重化され、インターリビングされ、そして第２セット（図示せず）と関連したＰ−ＣＣＥにマッピングされる。
【００５８】
図１３は、本発明の一実施形態によるＲ−ＲＥＧ要素に基づくインターリビングのための基づく物理リソース構造を示す。図１３で、各ＣＣＥ及びＰ−ＣＣＥは、４個のＲ−ＲＥＧ要素に分割され、インターリビングは、Ｒ−ＲＥＧレベル上で発生する。図１３に示された場合に対して、各ＣＣＥは、異なるプリコーディングベクトルによって潜在的にプリコーディングされることができる。したがって、ダイバシティ（ｄｉｖｅｒｓｉｔｙ）が増加する。
【００５９】
図１４は、本発明の一実施形態による例示的なリレー端末で検索プロシージャを示す。特に、検索プロシージャは、図９の実施形態と関連する。ここで、ダウンリンクグラント及びアップリンクグラントは、同一の物理リソースブロック（ＰＲＢ）で基地局からリレーに伝送される。
【００６０】
まず、基地局（ＢＳ）１０３は、リレー端末（ＲＳ）１４０にＲ−ＰＤＣＣＨを伝送する。ダウンリンクグラント及びアップリンクグラントがリレー端末１４０に伝送することを開始すれば、基地局１０４は、ダウンリンクグラント及びアップリンクグラントがＲ−ＰＤＣＣＨ内に同一の物理リソースブロック（ＰＲＢ）に存在するように、アップリンクグラント及びダウンリンクグラントを割り当てて、インターリビングすると仮定する。
【００６１】
ルーチン動作中に、リレー端末１４０は、基地局１０３からＲ−ＰＤＣＣＨを受信する（段階１４１０）。リレー端末１０４は、リレー端末１４０に対して対象のダウンリンクグラントまたはアップリンクグラントがＲ−ＰＤＣＣＨにあるか否かを知らない。したがって、リレー端末１４０は、リレー端末１４０のためのダウンリンクグラントを検出するために、第１検索空間をブラインドデコーディングする。第１検索空間は、図９で第１スロット（スロット１、Ｓｌｏｔ  １）であると推定される（段階１４２０）。
【００６２】
第１検索空間をブラインドデコーディングした後、リレー端末１４０は、リレー端末１４０に対して指示されたダウンリンクグラントが検出されたか否かを判断する（段階１４３０）。もし、そのようなダウンリンクグラントが検出されなければ（すなわち１４３０段階のＮＯ）、リレー端末１４０は、リレー端末１４０に対して指示されるアップリンク（ＵＬ）グラントを検出するために、必ず全体第２検索空間をブラインドデコーディングする。これは、リレー端末１４０が必ず第２検索空間（すなわち、スロット２、Ｓｌｏｔ  ２）の物理リソースブロック（ＰＲＢ）の全体でアップリンクグラントを検索することを意味する。
【００６３】
しかし、リレー端末１４０が第１検索空間でリレー端末１４０に対して指示されたダウンリンクグラントを検出すれば（すなわち１４３０段階のＹＥＳ）、リレー端末１４０は、ただリレー端末１４０に対して指示されたアップリンクグラントを検出するために、第２検索空間の同一の物理リソースブロックでリソース要素をデコーディングする。例示的な方法において、図９でリレー端末１４０が第１検索空間（スロット１）の物理リソースブロック（ＲＢ１）で“Ａ”でラベリングされた領域でリレー端末１４０に対して指示されたアップリンクグラントを検出すれば、リレー端末１４０は、ただリレー端末１４０に対して指示されたアップリンクグラントを検出するために第２検索空間（スロット２）のリソースブロック１（ＲＢ１）の“Ｃ”でラベリングされた領域でリソース要素をデコーディングする。好ましくは、これは、リレー端末１４０でデコーディング複雑度を大きく減少させる。
【産業上の利用可能性】
【００６４】
本発明が例示的な実施形態とともに説明されたが、多様な変更及び修正がこの技術分野の通常の知識を有する者によって提案されることができる。本発明の実施形態は、添付の特許請求範囲の範囲内に含まれるそのような変更及び修正を包含するものと意図される。
【符号の説明】
【００６５】
２００  伝送経路
２０５  チャネルコーディング及び変調
２１０  直列対並列（Ｓ−ｔｏ−Ｐ）
２１５  サイズＮの逆高速フーリエ変換（ＩＦＦＴ）
２２０  並列対直列（Ｐ−ｔｏ−Ｓ）
２２５  循環前置（ＣＰ）挿入
２３０  アップコンバータ（ＵＣ）
２５０  受信経路
２５５  ダウンコンバータ（ＤＣ）
２６０  循環前置（ＣＰ）除去
２６５  直列対並列（Ｓ−ｔｏ−Ｐ）
２７０  サイズＮの高速フーリエ変換（ＦＦＴ）
２７５  並列対直列（Ｐ−ｔｏ−Ｓ）
２８０  チャネルデコーディング及び復調
【図１】
0005923490.tif 000002
【図２Ａ】
0005923490.tif 000003
【図２Ｂ】
0005923490.tif 000004
【図３】
0005923490.tif 000005
【図４】
0005923490.tif 000006
【図５】
0005923490.tif 000007
【図６】
0005923490.tif 000008
【図７】
0005923490.tif 000009
【図８】
0005923490.tif 000010
【図９】
0005923490.tif 000011
【図１０】
0005923490.tif 000012
【図１１】
0005923490.tif 000013
【図１２】
0005923490.tif 000014
【図１３】
0005923490.tif 000015
【図１４】
0005923490.tif 000016